(57)【要約】      （修正有）【課題】ユーザが相応神経経絡療法の規則に従って痛感ポイントに対応する治療ポイントを検索するのを補助する人体模型装置及び該人体模型装置の使用方法を提供する。【解決手段】人体模型と制御ユニットとを含む、治療ポイントを表示するための人体模型装置であって、前記人体模型は全身神経図を有し、該全身神経図は複数の痛感ポイント及び複数の対応する治療ポイントを有し、前記痛感ポイントのそれぞれは前記人体模型に取り付けられた入力ユニット２０ａ，２０ｂを有し、前記対応する治療ポイントのそれぞれは表示ユニット２２ａ，２２ｂを有し、該表示ユニットは、前記人体模型に取り付けられ、少なくとも１個の入力ユニットに接続され、前記制御ユニットは、前記入力ユニット及び表示ユニットに接続され、かつ、データベースを有し、該データベースは痛感ポイントに対応する治療ポイントを提供する、人体模型装置。【選択図】図４
2007160088.tif 000002
【特許請求の範囲】
【請求項１】
人体模型と、制御ユニットとを含む、治療ポイントを表示するための人体模型装置であって、
前記人体模型は全身神経図を有し、該全身神経図は複数の痛感ポイント及び複数の対応する治療ポイントを有し、前記痛感ポイントのそれぞれは前記人体模型に取り付けられた入力ユニットを有し、前記対応する治療ポイントのそれぞれは表示ユニットを有し、該表示ユニットは、前記人体模型に取り付けられ、少なくとも１個の入力ユニットに接続され、
前記制御ユニットは、前記入力ユニット及び表示ユニットに接続され、かつ、データベースを有し、該データベースは痛感ポイントに対応する治療ポイントを提供する、治療ポイントを表示するための人体模型装置。
【請求項２】
前記入力ユニットはボタンである、請求項１に記載の人体模型装置。
【請求項３】
前記表示ユニットは発光ダイオードである、請求項２に記載の人体模型装置。
【請求項４】
前記人体模型は１６個の神経帯を有する、請求項３に記載の人体模型装置。
【請求項５】
前記人体模型は、頭、胴体、１対の腕、１対の前腕、１対の手、１対の大腿、１対の脚及び１対の足という８つの部位を有する、請求項４に記載の人体模型装置。
【請求項６】
前記人体模型の神経帯は異なる色でマーキングされる、請求項４に記載の人体模型装置。
【請求項７】
１６個の神経帯を有する全身神経図を含む、治療ポイントを表示するための人体模型装置。
【請求項８】
前記全身神経図は、複数の痛感ポイントと、対応する治療ポイントとを有し、
前記痛感ポイントは、該痛感ポイントの記号と、対応する治療ポイントの記号とでマーキングされる、請求項７に記載の人体模型装置。
【請求項９】
前記人体模型は、頭、胴体、１対の腕、１対の前腕、１対の手、１対の大腿、１対の脚及び１対の足という８つの部位を有する、請求項８に記載の人体模型装置。
【請求項１０】
前記人体模型上の神経帯は異なる色でマーキングされる、請求項９に記載の人体模型装置。
【請求項１１】
人体模型と、入力ユニットと、制御ユニットとを含む、治療ポイントを表示するための人体模型装置であって、
前記人体模型は全身神経図を有し、該全身神経図は複数の痛感ポイント及び複数の対応する治療ポイントを有し、前記痛感ポイントのそれぞれは前記人体模型に取り付けられた入力ユニットを有し、前記対応する治療ポイントのそれぞれは表示ユニットを有し、該表示ユニットは、前記人体模型に取り付けられ、少なくとも１個の入力ユニットに接続され、
前記入力ユニットは患者の痛感ポイントを入力し、
前記制御ユニットは、前記入力ユニット及び表示ユニットに接続され、かつ、データベースを有し、該データベースは痛感ポイントに対応する治療ポイントを提供する、治療ポイントを表示するための人体模型装置。
【請求項１２】
前記入力ユニットはコンピュータである、請求項１１に記載の人体模型装置。
【請求項１３】
前記表示ユニットは発光ダイオードである、請求項１２に記載の人体模型装置。
【請求項１４】
前記人体模型は１６個の神経帯を有する、請求項１３に記載の人体模型装置。
【請求項１５】
前記人体模型は、頭、胴体、１対の腕、１対の前腕、１対の手、１対の大腿、１対の脚及び１対の足という８つの部位を有する、請求項１４に記載の人体模型装置。
【請求項１６】
前記人体模型上の神経帯は異なる色でマーキングされる、請求項１４に記載の人体模型装置。
【請求項１７】
人体模型と、該人体模型上に定義される複数の痛感ポイント及び複数の治療ポイントとを有する、人体模型装置を用意するステップと、
前記痛感ポイントと前記治療ポイントとの間の関係を示す少なくとも１個の対応表を用意するステップと、
前記対応表にしたがって前記痛感ポイントの少なくとも１個に対応する患者の治療ポイントを見つけるステップとを含む、人体模型装置の使用方法。
【請求項１８】
前記患者の治療ポイントを見つけるステップの前に、
性別と、前記痛みの性質とを決定するステップを含む、請求項１７に記載の人体模型装置の使用方法。
【請求項１９】
順治か、逆治かを決定するステップを含む、請求項１８に記載の人体模型装置の使用方法。
【請求項２０】
前記順治が決定されるとき、前記対応する治療ポイントは少なくとも１個の対応表に示される、請求項１９に記載の人体模型装置の使用方法。
【請求項２１】
前記逆治が決定されるとき、前記対応する治療ポイントは少なくとも１個の対応表に示される、請求項１９に記載の人体模型装置の使用方法。
【発明の詳細な説明】
【技術分野】
【０００１】
本発明は、人体模型装置に関し、特に、患者が不快に感じる患者の身体の部分に対応する治療ポイントを迅速に表示することができるような治療ポイント表示用人体模型装置に関する。また本発明は、人体模型装置の使用方法に関し、特に、ユーザが治療ポイントを検索するのを補助するための人体模型装置の使用方法に関する。
【背景技術】
【０００２】
生理状態は、互いに影響を与える神経系と循環器系とを通じて安定的に維持される。したがって、患者の身体の特定部位に痛みがあるときには、おそらく交感神経の機能のばらつきのため、該身体の対応部位に反応徴候が生じる。前記対応部位での徴候は、深部の圧痛か、皮膚血流の変化かの場合がある。臨床では、前記反応徴候を有する対応部位の治療が前記特定部位の痛覚を治癒することができる。しかし、医師は自分の経験にしたがって前記対応部位を見つけるので、該対応部位は不正確で、対応部位の治療も不確かである。近年、相応神経経絡療法（Ｃｏｒｒｅｌａｔｉｖｅ  Ｎｅｕｒｏｍｏｄｕｌａｔｉｏｎ  Ｔｈｅｒａｐｙ）の利用が、ある痛感ポイントに対応する治療ポイントを正確に見つけるための規則を提供することができる。
【発明の開示】
【発明が解決しようとする課題】
【０００３】
相応神経経絡療法の規則は明確であるが、従来の人体模型は痛感ポイントに対応する治療ポイントの位置を表示することはできない。したがって、ユーザは、対応する治療ポイントの見つけ方を学習し、経験を集めるために多くの時間を費やす。前記痛感ポイントを治療するとき、ユーザ、特に新しいユーザは対応する治療ポイントを見つけるために多くの時間を費やす。新しいユーザは痛感ポイントに対応する治療ポイントを正確に見つけることは難しい。
【０００４】
この短所を克服するために、本発明は、上記の問題を軽減又は回避するように、治療ポイントを表示するための人体模型装置を提供する。
【課題を解決するための手段】
【０００５】
発明の概要
本発明の目的は、治療ポイントを表示するための人体模型装置と、ユーザが治療ポイントを迅速に表示できるように前記人体模型装置を使用する方法とを提供することである。
【０００６】
上述の目的を達成するために、本発明は人体模型と制御ユニットとを有する。前記人体模型は全身神経図（ｗｈｏｌｅ  ｎｅｒｖｅｄ−ｉｌｌｕｓｔｒａｔｉｏｎ）を有する。前記全身神経図には、複数の痛感ポイントと、対応する複数の治療ポイントとがある。前記痛感ポイントのそれぞれは入力ユニットを有する。前記入力ユニットは前記人体模型に取り付けられる。前記対応する治療ポイントのそれぞれには表示ユニットがある。前記表示ユニットが前記人体模型に取り付けられ、少なくとも１個の入力ユニットに接続される。前記制御ユニットは、前記入力ユニット及び表示ユニットに接続され、データベースを有する。前記データベースは、痛感ポイントに対応する治療ポイントを提供する。したがって、ユーザはある痛感ポイントの痛みの性質を決定し、前記人体模型のどこに該痛感ポイントが位置するかを決定し、上記の情報を前記入力ユニットに入力する。そして、前記制御ユニットは、ユーザが対応する治療ポイントを容易に見つけることができるように前記対応する治療ポイントを表示する。
【０００７】
本発明のその他の目的、利点及び新規な特徴は、添付する図面を参照するとき、以下の詳細な説明から明らかになるであろう。
【０００８】
発明の詳細な説明
本発明は、人体模型装置と、ユーザが迅速に治療ポイントを表示できるように治療ポイントを表示するために人体模型装置を使用する方法とを含む。前記人体模型装置を使用する方法は、人体模型装置を紹介した後で説明される。
【０００９】
頭１ないし５を参照して、本発明にしたがう治療ポイント表示用人体模型装置の第１の実施態様は、人体模型と、制御ユニット（２１）とを含む。
【００１０】
前記人体模型は全身神経図を有する。前記全身神経図は、複数の痛感ポイントと、複数の対応する治療ポイントとを含む。前記痛感ポイントのそれぞれは、入力ユニット（２０）を含む。入力ユニット（２０）は前記人体模型に取り付けられ、ボタン（２０ａ、２０ｂ、２０ｃ、２０ｄ、２０ｅ、２０ｆ）の場合がある。前記治療ポイントのそれぞれは、表示ユニットを含む。表示ユニット（２２）は、前記人体模型に取り付けられ、少なくとも１個の入力ユニット（２０）に接続し、発光ダイオード（２２ａ、２２ｂ、２２ｃ、２２ｄ、２２ｅ、２２ｆ）の場合がある。
【００１１】
制御ユニット（２１）は、入力ユニット（２０）及び表示ユニット（２２）に接続し、データベースを含む。前記データベースは痛感ポイントに対応する治療ポイントを提供する。
【００１２】
図６を参照して、本発明にしたがう治療ポイント表示用人体模型装置の第２の実施態様は、人体模型と、入力ユニット（２０）と、制御ユニット（２１）とを含む。
【００１３】
前記人体模型は全身神経図を有する。前記全身神経図は、複数の痛感ポイントと、複数の対応する治療ポイントとを含む。。前記治療ポイントのそれぞれは表示ユニット（２２）を含む。表示ユニット（２２）は前記人体模型に取り付けられ、発光ダイオード（２２ａ、２２ｂ、２２ｃ、２２ｄ、２２ｅ、２２ｆ）の場合がある。
【００１４】
入力ユニット（２０）は患者の痛感ポイントを入力するコンピュータの場合がある。
【００１５】
制御ユニット（２１）は、入力ユニット（２０）及び表示ユニット（２２、２２ａ、２２ｂ、２２ｃ、２２ｄ、２２ｅ、２２）と接続し、データベースを含む。前記データベースは痛感ポイントに対応する治療ポイントを提供する。
【００１６】
本発明は、相応神経経絡療法の規則にしたがってデータベースを構築する。前記相応神経経絡療法の規則は、前記痛感ポイント及び治療ポイントを紹介した後で説明する。全身神経図を備える人体模型は、１２対の対称的な神経帯（１、２、３、４、５、６、７、８、９、１０、１１、１２）と、４本の中心神経帯（１３、１４、１５、１６）とを有する。図１及び２では、神経帯（１、２、３、４、５、６、７、８、９、１０、１１、１２、１３、１４、１５、１６）は異なる色でマーキングされている場合がある。前記対の神経帯は、第１神経帯（１）、第２神経帯（２）、第３神経帯（３）、第４神経帯（４）、第５神経帯（５）、第６神経帯（６）、第７神経帯（７）、第８神経帯（８）、第９神経帯（９）、第１０神経帯（１０）、第１１神経帯（１１）及び第１２神経帯（１２）である。それぞれの対の神経帯（１、２、３、４、５、６、７、８、９、１０、１１、１２）は、前記人体模型の軸に対して対称的に形成される。２本の中心神経帯（１４、１５）は、前記人体模型の中心軸に沿った督脈（ｇｏｖｅｒｎｉｎｇ  ｖｅｓｓｅｌ）の上半分と下半分とにそれぞれ対応し、それぞれ第１４神経帯及び第１５神経帯とよばれる。他の２本の中心神経帯（１３、１６）は、任脈（ｃｏｎｃｅｐｔｉｏｎ  ｖｅｓｓｅｌ）の上半分と下半分とにそれぞれ対応し、第１３神経帯及び第１６神経帯とよばれる。
【００１７】
痛感ポイント及び治療ポイントの命名の規則は以下のとおりである。
１．人体模型は左側（Ｌ）と右側（Ｒ）との２つの側に分けられる。
２．神経帯（１、２、３、４、５、６、７、８、９、１０、１１、１２、１３、１４、１５、１６）全体は以下の表１に示す符号が付される。
３．人体模型は主要な関節にしたがって、頭（Ｈ）、胴体（Ｔ）、１対の腕（肩、Ｓ）、１対の前腕（肘、Ｅ）、１対の手（手首、Ｗ）、１対の大腿（脚、Ｌ）、１対の脚（膝、Ｋ）及び１対の足（足首、Ａ）という８つの部位に分けられる。
４．各神経帯（１、２、３、４、５、６、７、８、９、１０、１１、１２、１３、１４、１５、１６）の各部分は、Ｈ、Ｔ、Ｓ、Ｅ、Ｗ、Ｌ、Ｋ又はＡのような前記８つの部位の上端から下端までを、０ないし１０の符号を付された、第０部、第１部、第２部、第３部、第４部、第５部、第６部、第７部、第８部、第９部、第１０部という１０個の等間隔な部分に分けられる。第１ないし第１２神経帯（１、２、３、４、５、６、７、８、９、１０、１１、１２）の上端は人体模型の頭又は胴体の頂に位置する。第１３神経帯及び第１６神経帯（１３、１６）の上端は人体模型の胸と腹との境界に位置する。第１４神経帯及び第１５神経帯（１４、１５）の上端は人体模型の背中の中央に位置する。
【００１８】
【表１】
2007160088.tif 000003
【００１９】
痛感ポイント及び治療ポイントの表示の規則は以下のとおりである。
【００２０】
痛感ポイント及び治療ポイントのそれぞれは、人体模型の外表にマーキングされる４個の記号の組み合わせで示される。Ｈ、Ｔ、Ｓ、Ｅ、Ｗ、Ｌ、Ｋ又はＡのような第１番目の記号は人体模型の前記８つの部分の１つを意味する。１ないし１６のような第２番目の記号は神経帯（１、２、３、４、５、６、７、８、９、１０、１１、１２、１３、１４、１５、１６）の１つを意味する。０ないし１０のような第３番目の記号は人体模型の１つの部位の前記等間隔の部分の１つを意味する。第２番目の記号と第３番目の記号とはコンマ「．」によって隔てられる。Ｌ、Ｒ又はＢのような第４番目の記号は、人体模型の左側、右側又は両側を意味する。例えば、Ｔ２．８Ｒは、人体模型の胴体右側の第２神経帯（２）の第８部分にある位置を意味する。
【００２１】
さらに、各神経帯（１、２、３、４、５、６、７、８、９、１０、１１、１２、１３、１４、１５、１６）の各部位の第０番目の部分は無視できる。例えば、Ｅ１．０ＲはＥ１．Ｒと省略記載でき、Ｗ２．０ＲはＷ２Ｒと省略記載できる。前記神経帯（１、２、３、４、５、６、７、８、９、１０、１１、１２、１３、１４、１５、１６）の最上部も無視できる。例えば、Ｔ１Ｒは１Ｒと省略記載でき、Ｈ２Ｒは２Ｒと省略記載できる。
【００２２】
治療ポイントを検索する前に、ユーザは、患者の性別と、痛みの性質が虚症（ａｓｔｈｅｎｉａ  ｓｙｎｄｒｏｍｅ）か実症（ｓｔｅｎｉａ  ｓｙｎｄｒｏｍｅ）かとを知らなければならない。
【００２３】
対応する神経療法の規則は以下のとおり説明される。
１．ユーザは、患者の痛感ポイントの痛みが虚症か実症かを決定する。ユーザが患者の痛感ポイントを押して患者が該痛感ポイントにもっと痛みを感じるとき、その痛みは実症である。ユーザが患者の痛感ポイントを押して患者があまり痛みを感じないとき、その痛みは虚症である。それから、ユーザは、患者の性別、痛みの性質及び痛感ポイントの左右にしたがって、以下の表２に示すとおり、順治（ｓｔｒａｉｇｈｔ  ｔｒｅａｔｍｅｎｔ、以下の表では「順」と略記する。）か、逆治（ｃｒｏｓｓ  ｔｒｅａｔｍｅｎｔ、以下の表では「逆」と略記する。）かを患者に適用することを決定する。
【００２４】
【表２】
2007160088.tif 000004
【００２５】
２．ユーザは、以下の表３ａ、３ｂ、３ｃ及び３ｄに示すとおり、前記治療ポイント及び痛感ポイントにしたがってどの神経帯（１、２、３、４、５、６、７、８、９、１０、１１、１２、１３、１４、１５、１６）が対応するかを決定する。
【００２６】
ａ．順治は、痛感ポイントと、該痛感ポイントに対応する治療ポイントとが表３ａ、３ｂ、３ｃ及び３ｄの同じ列に配置されるので、ユーザは痛感ポイントが位置するのと同じ列に対応する治療ポイントを見つけることになることを意味する。例えば、痛感ポイントが第１神経帯（１）にあって、これに対応する治療ポイントが第４神経帯（４）にある。痛感ポイントが第４神経帯（４）にあって、これに対応する治療ポイントが第１神経帯（１）にある。痛感ポイントが第２神経帯（２）にあって、これに対応する治療ポイントが第３神経帯（３）にある。痛感ポイントが第３神経帯（３）にあって、これに対応する治療が第２神経帯（２）にある。
【００２７】
ｂ．逆治は、痛感ポイントと、該痛感ポイントに対応する治療ポイントとが表３ａ、３ｂ、３ｃ及び３ｄの異なる列にそれぞれ対角線上に配置されているので、ユーザは痛感ポイントがある列とは異なる別の列に対応する治療ポイントを見つけることになることを意味する。例えば、痛感ポイントが第１神経帯（１）にあって、これに対応する治療ポイントが第３神経帯（３）にある。痛感ポイントが第３神経帯（３）にあって、これに対応する治療ポイントが第１神経帯（１）にある。痛感ポイントが第２神経帯（２）にあって、これに対応する治療ポイントが第４神経帯（４）にある。痛感ポイントが第４神経帯（４）にあって、これに対応する治療ポイントが第２神経帯（２）にある。
【００２８】
表３ａでは、第１、第２、第３及び第４神経帯（１、２、３、４）が同一ののグループになっている。
【００２９】
【表３ａ】
2007160088.tif 000005
【００３０】
表３ｂでは、第５、第６、第７及び第８神経帯（５、６、７、８）が同一のグループになっている。
【００３１】
【表３ｂ】
2007160088.tif 000006
【００３２】
表３ｃでは、第９、第１０、第１１及び第１２神経帯（９、１０、１１、１２）が同一のグループになっている。
【００３３】
【表３ｃ】
2007160088.tif 000007
【００３４】
表３ｄでは、第１３、第１４、第１５及び第１６神経帯（１３、１４、１５、１６）が同一のグループになっている。
【００３５】
【表３ｄ】
2007160088.tif 000008
【００３６】
４．ユーザは表４にしたがって対応する治療ポイントが人体模型のどの部位にあるかを決定する。
【００３７】
１組の記号「＊．＊」は２個の記号「＊」を含む。第１番目の記号「＊」は神経帯（１、２、３、４、５、６、７、８、９、１０）のうちの１つを意味する。第２番目の記号「＊」は人体模型の１つの部位の前記等間隔の部分の１つを意味し、１ないし１０の場合がある。
【００３８】
【表４】
2007160088.tif 000009
【００３９】
５．要約すると表５が示される。
ａ．同側の治療ポイントへの順治は以下の条件が満たされるとき実行される。
（１）患者が男性で、痛感ポイントが患者の身体の左側にあり、該痛感ポイントの痛みの性質が虚症である。
（２）患者が女性で、痛感ポイントが患者の身体の右側にあり、該痛感ポイントの痛みの性質が虚症である。
（３）患者が男性で、痛感ポイントが患者の身体の右側にあり、該痛感ポイントの痛みの性質が実症である。
（４）患者が女性で、痛感ポイントが患者の身体の左側にあり、該痛感ポイントの痛みの性質が実症である。
【００４０】
反対側の治療ポイントへの順治は以下の条件が満たされるとき実行される。
（１）患者が男性で、痛感ポイントが患者の身体の右側にあり、該痛感ポイントの痛みの性質が虚症である。
（２）患者が女性で、痛感ポイントが患者の身体の左側にあり、該痛感ポイントの痛みの性質が虚症である。
（３）患者が男性で、痛感ポイントが患者の身体の左側にあり、該痛感ポイントの痛みの性質が実症である。
（４）患者が女性で、痛感ポイントが患者の身体の右側にあり、該痛感ポイントの痛みの性質が実症である。
【００４１】
記号「＊」は人体模型の前記部位の前記等間隔の部分の１つを意味し、１ないし１０の場合がある。
【００４２】
【表５】
2007160088.tif 000010
2007160088.tif 000011
【００４３】
ｂ．同側の治療ポイントへの逆治は以下の条件が満たされるとき実行される。
（１）患者が男性で、痛感ポイントが患者の身体の右側にあり、該痛感ポイントの痛みの性質が虚症である。
（２）患者が女性で、痛感ポイントが患者の身体の左側にあり、該痛感ポイントの痛みの性質が虚症である。
（３）患者が男性で、痛感ポイントが患者の身体の左側にあり、該痛感ポイントの痛みの性質が実症である。
（４）患者が女性で、痛感ポイントが患者の身体の右側にあり、該痛感ポイントの痛みの性質が実症である。
【００４４】
反対側の治療ポイントへの逆治は以下の条件が満たされるとき実行される。
（１）患者が男性で、痛感ポイントが患者の身体の左側にあり、該痛感ポイントの痛みの性質が虚症である。
（２）患者が女性で、痛感ポイントが患者の身体の右側にあり、該痛感ポイントの痛みの性質が虚症である。
（３）患者が男性で、痛感ポイントが患者の身体の右側にあり、該痛感ポイントの痛みの性質が実症である。
（４）患者が女性で、痛感ポイントが患者の身体の左側にあり、該痛感ポイントの痛みの性質が実症である。
【００４５】
記号「＊」は人体模型の前記部位の前記等間隔の部分の１つを意味し、１ないし１０の場合がある。
【００４６】
【表６】
2007160088.tif 000012
2007160088.tif 000013
【００４７】
したがって、ユーザが痛みの性質、性別及び痛感ポイントの左右を制御ユニット（２１）に入力するとき、制御ユニット（２１）が入力されたデータを制御ユニット（２１）内のデータベースと比較することを通じて、対応する治療ポイントが見つかる。
【実施例１】
【００４８】
図４，５、７及び８を参照して、女性の１組の記号Ｅ１Ｒでマーキングされた第１神経帯の右肘に痛感ポイントがある。
図７を参照すると、前記痛みの性質は虚症である。図４を参照するとユーザが前記痛感ポイントがある場所のボタン（２０ｂ）を押す。相応神経経絡療法の規則によれば、前記痛感ポイントに対応する治療ポイントは、前記痛感ポイントとは人体模型の反対側の１組の記号Ｋ４Ｒでマーキングされた右側の膝の第４神経帯（４）上か、あるいは、前記痛感ポイントとは人体模型の反対側の１組の記号Ｋ３Ｌでマーキングされた左側の膝の第３神経帯（３）上かにある。データベースが前記痛感ポイントに対応する治療ポイントを決定した後、制御ユニット（２１）は発光ダイオード（２２ｄ、２２ｆ）を点灯させる。
【実施例２】
【００４９】
図４、５、７及び８を参照して、女性の1組の記号Ｓ１．３Ｒでマーキングされた右上腕の第３番目第1神経帯（１）に痛感ポイントがある。図４を参照して、ユーザは前記痛感ポイントがある場所のボタン（２０ａ）を押す。図７を参照して、前記痛感ポイントの痛みの性質は虚症である。相応神経経絡療法の規則によれば、前記痛感ポイントに対応する治療ポイントは、前記痛感ポイントと人体模型の同側の１組の記号Ｌ４．３Ｒでマーキングされた右大腿の第３番目の部分の第４神経帯（４）か、あるいは、前記痛感ポイントと人体模型の反対側の１組の記号Ｌ３．３Ｌでマーキングされた左大腿の第３番目の部分の第３神経帯（３）かにある。データベースが前記痛感ポイントに対応する治療ポイントを決定した後、制御ユニット（２１）は発光ダイオード（２２ｃ、２２ｅ）を点灯させる。
【００５０】
ユーザが、痛みの性質、性別、左右及び位置を前記制御ユニットに入力すると、制御ユニット（２１）は順治又は逆治が実行されるかどうか決定する。そして、制御ユニット（２１）は治療は順治であると決定する。最後に、前記データベースは前記順治に対応する治療ポイントを示す。制御ユニット（２１）が治療は逆治であると決定するとき、前記データベースは逆治に対応する治療ポイントを示し、治療ポイントを表示する。
【００５１】
本発明による前記人体模型装置の使用方法は、（ａ）人体模型装置を用意するステップと、（ｂ）少なくとも１個の対応表（ｃｏｎｔｒａｓｔｅｄ  ｔａｂｌｅ）を用意するステップと、（ｃ）対応する治療ポイントを見つけるステップとを含む。
【００５２】
前記人体模型装置を用意するステップは、人体模型と、該人体模型上に定義された複数の痛感ポイント及び複数の治療ポイントとを有する人体模型装置を提供する。
【００５３】
前記少なくとも１個の対応表を用意するステップは、前記痛感ポイントと治療ポイントとの間の関係を示す少なくとも１個の対応表を確立することである。
【００５４】
前記患者の対応する治療ポイントを見つけるステップは、前記対応表にしたがって少なくとも１個の痛感ポイントに対応する治療ポイントを見つける。
【００５５】
性別と、痛みの性質とを決定するステップは、患者の対応する治療ポイントを見つけるステップの前に、性別と、痛みの性質とを決定することが好ましい。順治又は逆治を決定するステップは、順治か逆治かを決定する。
【００５６】
前記対応する治療ポイントは、順治が決定されるとき、前記少なくとも１個の対応表に示されることが好ましい。
【００５７】
前記対応する治療ポイントは、逆治が決定されるとき、前記少なくとも１個の対応表に示されることが好ましい。
【００５８】
前記「少なくとも1個の対応表」は、表２ないし５を含む。
【００５９】
したがって、ユーザは、痛感ポイントの痛みの性質と、該痛感ポイントが前記人体模型上の場所をを決定する。すると、前記規則にしたがって、ユーザは対応する治療ポイントを容易に見つけることができる。
【００６０】
本発明の構造及び特徴の詳細とともに、本発明の多数の特徴及び利点が上記の説明に列挙されたが、この開示内容は例示的であるにすぎない。細部、特に、形状、サイズ及び部品の配置に関する細部の変更は、添付する特許請求の範囲の用語の広い一般的な意味によって示される全内容までの本発明の原理の範囲内で行われる場合がある。
【図面の簡単な説明】
【００６１】
【図１】神経帯を有し、人間の顔及び身体の特徴を省略した本発明の人体模型装置の正面図。
【図２】神経帯を有し、人間の顔及び身体の特徴を省略した本発明の人体模型装置の背面図。
【図３】本発明のブロックダイアグラム。
【図４】神経帯、ボタン及び発光ダイオードと、人間の顔及び身体の特徴とを示す、図１の人体模型装置の第1の実施態様の拡大正面図。
【図５】神経帯、ボタン及び発光ダイオードと、人間の顔及び身体の特徴とを示す、図１の人体模型装置の第1の実施態様の正面図。
【図６】神経帯、入力ユニット及び発光ダイオードと、人間の顔及び身体の特徴とを示す、図１の人体模型装置の第２の実施態様の拡大正面図。
【図７】1個の神経帯を有する女性患者の拡大正面図。
【図８】1個の神経帯を有する女性患者の正面図。
【符号の説明】
【００６２】
１〜１６    神経帯
２０    入力ユニット
２１    制御ユニット
２２    表示ユニット
【図１】
2007160088.tif 000014
【図２】
2007160088.tif 000015
【図３】
2007160088.tif 000016
【図４】
2007160088.tif 000017
【図５】
2007160088.tif 000018
【図６】
2007160088.tif 000019
【図７】
2007160088.tif 000020
【図８】
2007160088.tif 000021
【外国語明細書】
2007160088.tif 000022
2007160088.tif 000023
2007160088.tif 000024
2007160088.tif 000025
2007160088.tif 000026
2007160088.tif 000027
2007160088.tif 000028
2007160088.tif 000029
2007160088.tif 000030
2007160088.tif 000031
2007160088.tif 000032
2007160088.tif 000033
2007160088.tif 000034
2007160088.tif 000035
2007160088.tif 000036
2007160088.tif 000037
2007160088.tif 000038
2007160088.tif 000039
2007160088.tif 000040
2007160088.tif 000041
2007160088.tif 000042
2007160088.tif 000043
2007160088.tif 000044
2007160088.tif 000045
2007160088.tif 000046
2007160088.tif 000047
2007160088.tif 000048
2007160088.tif 000049
2007160088.tif 000050
2007160088.tif 000051
2007160088.tif 000052
2007160088.tif 000053